Podtech/llm-jp-corpus-v4-ja_patent huggingface dataset:
(57)【要約】      （修正有）【課題】自家発電装を安価で製作出来るようにする。【解決手段】スタンド式扇風機は風車が前面に一枚取付けられているが、後部にはコンデンサー等の部品が収納されている。これらを上部又は側部に移し主軸を後部まで延長して風車を取付ける。【選択図】図１
2015017601.tif 000002
【特許請求の範囲】
【請求項１】
各家庭で現在使用されているスタンド式扇風機は風車が前面に一枚取付けられているが、後部にはコンデンサー等の部品が収納されている、これらを上部又は側部に移し主軸を後部まで延長して風車を取付ける。
【請求項２】
家庭で使用されている扇風機の首振り角度は９０°程度だが家庭発電機では首振り角度を１２０°程度にする
【請求項３】
電源には、リチウムイオン電池の使用を原則とし、家庭用発電装置には複数の発電機が発電するので、その内の一機は電池の充電用に使用すると、ほぼ恒久に電動機の運転が可能である。
【請求項４】
家庭用発電機の風車の回転速度と首振り速度をさげる為に電源を１００Ｗ程度を使用する。
【請求項５】
自家発電機による発電の電圧を調整する必要があるので、変圧機の設置をする。
【請求項６】
風車の羽根の材質は炭素繊維か、プラスチックを使用。
尚、ジュラルミンを使用することもある。
【請求項７】
この発明は、自動車の手動変速機とクラッチが自動変速機になっている事  参考にしたもので、エンジン側と車体側に油槽の中で向い合せて羽根を取付けエンジンが回転すると油を介して車体側の羽根も回転するので、自動車の変速も自動化された。
従って、電源によって回転する風車に向けて電源なしの風車も回転することが分った。回転数も両風車とも同回転する。
【発明の詳細な説明】
2015017601.tif 000003
2015017601.tif 000004
2015017601.tif 000005
2015017601.tif 000006
2015017601.tif 000007
【手続補正書】
【提出日】平成26年4月28日(2014.4.28)
【手続補正２】
【補正対象書類名】明細書
【補正対象項目名】全文
【補正方法】変更
【補正の内容】
【発明の詳細な説明】
この発明は自動車の変速器と、クラッチの自動化を参考にして応用した発明である。
原動機の軸を前後に延長し、それに風車を取付け扇風機の如く回転させる、電源には、バッテリーを使用する、バッテリーの電圧を調整する爲に変圧器を設置する。
一機の電動機で２機の扇風機が回転不可能なら一機ずつ別々に製作して背中合せにして駆動すれば、その向いに設置されている風車も扇風機の回転数とほぼ同じ回転数で回転する。
尚、電源には電力会社から供給されている電源を使用すればよい、又電気の使用量は１体型にすると、１００Ｗ程度別々に分離して一機ずつにすると１機当り４０Ｗである。
【技術分野】化石燃料、太陽光、風力等を全く利用せずにバッテリーのみで発電が可能である。
この発電装置▲１▼に発電機５機を設置すると合計で３０機の発電機が発電する。
尚、バッテリーは、リチウムイオン蓄電池を使用するとよい。
【発明の概要】
【発明が解決しようとする課題】原発事故が、もしあったら日本全国が甚大な被害を受けることになるので、早急にこの装置が普及する時代になれば原発の操業も減らす事が出来、災害も最少限にする事が出来る事だと確信している。
【課題を解決する爲の手段】
この自家発電装を安価で製作出来るようにして全国の各家庭に早急に普及させる事が最も必要である。
【発明の効果】
化石燃料を一切使用することなく発電が出来るので原子力発電も減少させることが出来るし、世界的にも普及すれば、地球温暖化防止にも貢献する事が出来る。
【背景技術】従来からの化石燃料による発電や原子力発電による地球温暖化による気候異変による災害、原発事故による、東北地方の災害は、日本人にとって大きな衝撃になっている。更に南海地震が将来起り得る事は否定出来ないと云われている。
【実施の形態】
自家発電装置の電源は原則としてリチウムイオン蓄電池とし、電圧の調整には変圧器を設置すればよい。どのような悪天候でも終は、年中発電が可能である。
【図面の簡単な説明】
【図１】平面図。
【図２】正面図。
【図３】側面図
【符号の説明】〔１、〕▲２▼、▲３▼、▲４▼、▲５▼、▲６▼、は符号▲１▼と同一の発電装置を設置する部所。
〔２、〕Ｂ、は部品（コンデンサーその他）の収納函。
〔３、〕Ｃ、は発電機の風車の羽根。
〔４、〕Ｄ、は支柱。
〔５、〕Ｆ、は歯数５０枚の歯車。
〔６、〕Ｅ、は歯数５枚の歯車。
〔７、〕図２、と図３の符号は図１の符号と同一である。
〔８、〕Ｇ、は発電機。
〔９、〕Ｃ１、は電動機の風車の羽根。
〔１０、〕Ｍは電動機。
【手続補正３】
【補正対象書類名】図面
【補正対象項目名】全図
【補正方法】変更
【補正の内容】
【図１】
2015017601.tif 000008
【図２】
2015017601.tif 000009
【図３】
2015017601.tif 000010
(57)【要約】      （修正有）【課題】拘置者が拘置施設内で使える時計を提供する。【解決手段】電池４とモータ７と接点３，５と配線２，６で構成される駆動部以外をプラスチックで製作する。または、液晶もしくは有機ＥＬを外部から取り出せないようにプラスチックで封止した構造の時計とする。【選択図】図１
2015017959.tif 000002
【特許請求の範囲】
【請求項１】
駆動部以外を全てプラスチックで作った時計。
［選択図］図１
【請求項２】
液晶もしくは有機ＥＬを外部から取り出せないようにプラスチックで封止した時計。
［選択図］図２
【発明の詳細な説明】
【技術分野】
【０００１】本発明は拘置施設等で、時計が持ち込み不可なのを解消するものである。
【背景技術】
【０００２】従来拘置施設では、拘置者は時計は持ち込めなかった。
【発明の概要】
【発明が解決しようとする課題】
【０００３】拘置施設で時計の持ち込みが制約されるのは金属ガラス等が破壊工作に用いられるのを懸念しての事である。
【課題を解決する為の手段】
【０００４】駆動部分以外に金属ガラスを用いない時計を制作し、この問題を解消する。
【発明の効果】
【０００５】拘置者でも時間を確認でき、インスタント食品等の待ち時間も的確に出来る。
【図面の簡単な説明】
【０００６】
【図１】請求項１駆動部分以外を全てプラスチックで作った時計の駆動部
【図２】請求項２液晶もしくは有機ＥＬを外部から取り出せないようにプラスチックで封止した時計の断面図
【発明を実施するための形態】
【０００７】以下、本発明の実施の形態を図１〜図２に基づいて説明する。
【０００８】図１においては、破断面下が駆動部を指す。この部分以外をプラスチックで製作することにより、拘置施設でも使える時計を実現する。
（破壊工作対策済み）
駆動部はモーター、配線、、接点、電池である。
【０００９】図２においては、液晶もしくは有機ＥＬが取り出せないようにプラスチック封止した時計の断面図である。
液晶もしくは有機ＥＬと駆動回路が斜線に示すプラスチック封止されている。
電池は取り出せるようにプラスチック封止されてない。
上記により、拘置施設でも使える時計を実現する。
（破壊工作対策済み）
【図１】
2015017959.tif 000003
【図２】
2015017959.tif 000004
(57)【要約】【課題】軟性で薄いレジ袋やゴミ袋を含む袋類を床や地面上に置くと自立せず、かつゴミ袋口を安定した形状に確保できず、ゴミ類の投入が一人で容易にできないという不都合を解決すること。【解決手段】軟性で薄いレジ袋やゴミ袋を含む袋類の内部に四角い立方体のゴミ収納補助具を挿入し、ゴミ袋口を確保の上、安定して自立させてゴミ類を投入しやすくすることにより、この課題を解決する。【選択図】図１、図２
2015202961.tif 000002
【特許請求の範囲】
【発明の詳細な説明】
【発明の概要】
【発明が解決しようとする課題】軟性で薄いレジ袋やゴミ袋を含む袋類を床や地面上に置くと自立せず、かつゴミ袋口を安定した形状に確保できず、ゴミ類の投入が一人で容易にできないという不都合を解決すること。
【課題を解決するための手段】軟性で薄いレジ袋やゴミ袋を含む袋類の内部に四角い立方体のゴミ収納補助具を挿入し、ゴミ袋口を確保の上、安定して自立させてゴミ類を投入しやすくすることにより、この課題を解決する。
【発明の効果】軟性で薄いレジ袋やゴミ袋を含む袋類の内部に四角い立方体のゴミ収納補助具を挿入することで、ゴミ袋口が確保でき、安定して自立させてゴミ類を投入しやすくすることができる。また、ゴミ収納補助具の素材を厚紙にし、かつ袋より少し浅くすることにより、ゴミが溜まった袋の上部を縛ることができ、そのまま捨てることができる。また、ゴミ収納補助具を袋より少し小さめにすることにより、袋への挿入が容易になる。未使用時のゴミ収納補助具は折り畳むことで収納や持ち運びが容易となる。
【図面の簡単な説明】ゴミ収納補助具の素材を厚紙にし、細く切った紙を繋げて四角い立方体にすることにより、適度な強度と柔軟性を確保する。かつ、ゴミ収納補助具を袋より少し浅くすることにより、ゴミが溜まった袋の上部を縛ることができ、そのまま捨てることができる。また、未使用時のゴミ収納補助具は折り畳むことで収納や持ち運びが容易となる。
【図１】
2015202961.tif 000003
【図２】
2015202961.tif 000004
【符号の説明】▲１▼  未使用時のゴミ収納補助具は点線方向に折り畳むことができる
【図１】
2015202961.tif 000005
【図２】
2015202961.tif 000006
【手続補正書】
【提出日】平成26年8月15日(2014.8.15)
【手続補正１】
【補正対象書類名】特許請求の範囲
【補正対象項目名】全文
【補正方法】追加
【補正の内容】
【特許請求の範囲】
【請求項１】
未使用時は折り畳むことができる、袋類の内部に入れて使うゴミ収納補助具
【手続補正２】
【補正対象書類名】明細書
【補正対象項目名】全文
【補正方法】変更
【補正の内容】
【発明の詳細な説明】
【発明の概要】
【発明が解決しようとする課題】
【０００１】軟性で薄いレジ袋やゴミ袋を含む袋類を床や地面上に置くと自立せず、かつゴミ袋口を安定した形状に確保できず、ゴミ類の投入が一人で容易にできないという不都合を解決すること。
【課題を解決するための手段】
【０００２】軟性で薄いレジ袋やゴミ袋を含む袋類の内部に四角い立方体のゴミ収納補助具を挿入し、ゴミ袋口を確保の上、安定して自立させてゴミ類を投入しやすくすることにより、この課題を解決する。
【発明の効果】
【０００３】軟性で薄いレジ袋やゴミ袋を含む袋類の内部に四角い立方体のゴミ収納補助具を挿入することで、ゴミ袋口が確保でき、安定して自立させてゴミ類を投入しやすくすることができる。また、ゴミ収納補助具の素材を厚紙にし、かつ袋より少し浅くすることにより、ゴミが溜まった袋の上部を縛ることができ、そのまま捨てることができる。また、ゴミ収納補助具を袋より少し小さめにすることにより、袋への挿入が容易になる。未使用時のゴミ収納補助具は折り畳むことで収納や持ち運びが容易となる。
【図面の簡単な説明】
【０００４】ゴミ収納補助具の素材を厚紙にし、細く切った紙を繋げて四角い立方体にすることにより、適度な強度と柔軟性を確保する。かつ、ゴミ収納補助具を袋より少し浅くすることにより、ゴミが溜まった袋の上部を縛ることができ、そのまま捨てることができる。また、未使用時のゴミ収納補助具は折り畳むことで収納や持ち運びが容易となる。【０００５】
【図１】ゴミ収納補助具を示した平面図である。
【図２】ゴミ収納補助具を袋に入れた場合を示した断面図である。
【符号の説明】
【０００６】▲１▼  未使用時のゴミ収納補助具は点線方向に折り畳むことができる
(57)【要約】      （修正有）【課題】ＰＥＴボトル、紙パック容器内の残存内容物の酸化を防止し、残存内容物の品質劣化を防ぐ袋状浮遊容器を提供する。【解決手段】ＰＥＴボトル１内に袋状容器２をまた、紙パック容器内に袋状容器をそれぞれ残存内容物３に浮かべて使用し酸化防止を図ることを特徴とする。【選択図】図１
2015202905.tif 000002
【特許請求の範囲】
【請求項１】
ＰＥＴボトル１内に袋状容器２を残存内容物３に浮かべた容器内残存内容物の酸化防止である。紙パック容器４内に袋状容器５を残存内容物６に浮かべた容器内残存内容物の酸化防止である。
【発明の詳細な説明】
【技術分野】
【０００１】この発明は、飲料品、醤油等の液体調味料、食用油、日本酒、薬液のＰＥＴボトル容器・紙パック容器の容器内残存内容物の酸化防止に関するものである。
【背景技術】
【０００２】従来、飲料品、醤油等の液体調味料、食用油、日本酒、薬液のＰＥＴボトル容器・紙パック容器の残存内容物は開栓後容器内で酸化し風味品質が劣化した。また、空気を遮断するためにゴムや合成樹脂製のパッキングを使用し密閉だけをおこなうもの、容器内に袋状のものを挿入するもの、容器内部の空気を吸引、排気するもの等が提案されている。
【先行技術文献】
【特許文献】
【０００３】
【特許文献１】  特許公開２００１−９７４３３
【特許文献２】  登録実用新案第３０６３２２２号
【特許文献３】  登録実用新案第３０６４３９７号
【発明の概要】
【発明が解決しようとする課題】
【０００４】これは次のような欠点があった。
（イ）  残存内容物の風味と品質の保持効果が不十分。
（ロ）  大がかりな個別対応が必要で、衛生面で課題がある。
（ハ）  コストが掛かりセッティングにも時間を要した。
本発明は、以上のような欠点をなくすためになされたものである。
【課題を解決するための手段】
【０００５】  ＰＥＴボトル１内に袋状容器２を残存内容物３に浮かべて使用する。袋状容器２内にはエアーが密閉されており常時浮いた状態で残存内容物３と接している。また、紙パック容器４内に袋状容器５を残存内容物６に浮かべて使用する。その袋状容器５内にはエアーが密閉されており常時浮いた状態で残存内容物６と接している。
本発明は、以上の構成よりなる容器内残存内容物の酸化防止である。
【発明の効果】
【０００６】  （イ）  飲料品、醤油等の液体調味料、食用油、日本酒、薬液のＰＥＴボトル容器・紙パック容器の残存内容物の酸化による風味品質変化が抑えられ長期保存が可能になる。
（ロ）  構造が簡易なため、製造時に容器内に浮かべることで衛生的でコスト削減が図れる。
（ハ）  廃棄時、外側容器と共に資源ごみに出すことができる。
【図面の簡単な説明】
【０００７】
【図１】  本発明（ＰＥＴボトル１全体）の正面図である。
【図２】  本発明（紙パック４全体）の正面図である。
【図３】  本発明（ＰＥＴボトル１全体）の側面図である。
【図４】  本発明（紙パック４全体）の側面図である。
【図５】  本発明（ＰＥＴボトル１全体）の斜視図である。
【図６】  本発明（紙パック４全体）の斜視図である。
【図７】  本発明（袋状容器２）の斜視図である。
【図８】  本発明（袋状容器５）の斜視図である。
【発明を実施するための形態】
【０００８】  以下、本発明を実施するための形態について説明する。
ＰＥＴボトル１に袋状容器２（ＰＥＴボトル素材と同じ）を残存内容物３に浮かべて使用する。袋状容器２内にはエアーが密閉されており常時浮いた状態で残存内容物３と接している。残存内容物３はＰＥＴボトル１容器内側面、底面、袋状容器２底面共、同じ素材で覆われており保存時に酸化しない構造である。また、紙パック容器４に袋状容器５（紙パック容器と同じ素材）を残存内容物６に浮かべて使用する。その容器内にはエアーが密閉されており常時浮いた状態で残存内容物６と接している。残存内容物６は紙パック容器４内側面、底面、袋状容器５底面共、同じ素材で覆われており保存時に酸化しない構造である。残存内容物（３）（６）を注ぐときには残存内容物（３）（６）それぞれの上面を浮遊していて流れを妨げない仕組みである。袋状容器（２）（５）には残存内容物（３）（６）が付着しない様に流れ落ちる傾斜を付けている。残存内容物（３）（６）に浮かべる袋状容器（２）（５）は製造段階でＰＥＴボトル１内・紙パック４内に入れることでコストダウンが図られまた衛生的である。そして、外側容器と同素材であることから廃棄時に外側容器と共に資源ごみに出すことができる。
本発明は、以上のような構造である。
【符号の説明】
【０００９】  １  ＰＥＴボトル
２  袋状容器
３  残存内容物
４  紙パック
５  袋状容器
６  残存内容物
【図１】
2015202905.tif 000003
【図２】
2015202905.tif 000004
【図３】
2015202905.tif 000005
【図４】
2015202905.tif 000006
【図５】
2015202905.tif 000007
【図６】
2015202905.tif 000008
【図７】
2015202905.tif 000009
【図８】
2015202905.tif 000010
(57)【要約】      （修正有）【課題】モーターを２個つなぎ２ヶ所のブラシをもうけて、バッテリーの電流を流して回転させることで、バッテリー内の電気がなくならず、バッテリー内に保存される。【解決手段】モーター３にあるターミナル６とバッテリー１にある端子１６をリード線１９でつなぎ、モーター３にあるターミナル７とモーター２にあるターミナル４をリード線２０でつなぎ、モーター２にあるターミナル５とバッテリー１にある端子１７とリード線２１でつなぐ構造からなる電気を保存する装置。【選択図】図２
2015202043.tif 000002
【特許請求の範囲】
【請求項１】
モーター（３）にあるターミナル（６）とバッテリー（１）にある端子（１６）とリード線（１９）でつなぐ、モーター（３）にあるターミナル（７）とモーター（２）にあるターミナル（４）とリード線（２０）でつなぐ、モーター（２）にあるターミナル（５）とバッテリー（１）にある端子（１７）とリード線（２１）でつなぐ、本発明は以上の構造からなる電気を保存する装置。
【発明の詳細な説明】
【技術分野】
【０００１】  この発明は、モーターを２個つなぎ２ヶ所のブラシをもうけてバッテリーの電流を流して回転させることでバッテリー内の電気がなくならずバッテリー内に保存されていることを実験によって発見したものである。
【背景技術】
【０００２】  従来、電気は水力、石炭、天然ガス、石油、核然料などのもつエネルギーを利用して発電機を回転させて電気を生産していた。それを送電線を使かって各家庭に送り利用していた。これは発電機を回転させつづけなければならないという課題があった。止めてしまえば電気がなくなってしまうからである。
【発明の概要】
【発明が解決しようとする課題】
【０００３】  電気は、必ずなくなってしまうものであった。本発明は、ファラデーの電磁誘導の法則でわかるように、磁極間にコイルを入れて回転させたり動かしたりするとコイルに電流が発生する。又、モーターに電流を流すと回転する。これらは磁石の間でコイルを回転させているということにおいては条件は同じなのである。これらの現象によりモーターに電流を流して回転させれば一方で電流が発生しているのではないかと考えたのが本発明である。
【課題を解決するための手段】
【０００４】  図２に示すようにモーター（３）にあるターミナル（６）とバッテリー（１）にある端子（１６）をリード線（１９）でつなぐ。モーター（３）にあるターミナル（７）とモーター（２）にあるターミナル（４）をリード線（２０）でつなぐ、モーター（２）にあるターミナル（５）とバッテリー（１）にある端子（１７）とリード線（２１）でつなぐ本発明は以上の構造からなる電気を保存する装置である。
【発明の効果】
【０００５】  電気は外部からコンセントを通して取り入れたり、電池を使かって取り入れたりしていたが本発明により内蔵された発電装置が可能になる。
【図面の簡単な説明】
【０００６】
【図１】  配線方法（１）の実験図
【図２】  配線方法（２）の実験図
【図３】  配線方法（２）を応用した応用図
【発明の実施をするための形態】
【０００７】  図１の配線方法（１）の実験ではモーター（３）にあるターミナル（６）とモーター（２）にあるターミナル（４）とリード線（１４）と（１２）でつなぐ、モーター（３）にあるターミナル（７）とモーター（２）にあるターミナル（５）とリード線（１５）と（１３）でつなぐ。初めのつなぎ目（８）とバッテリー（１）の端子（１６）とリード線（１０）でつなぐ。次につなぎ目（９）とバッテリー（１）にある端子（１７）とリード線（１１）でつなぐ、このようにしてモーターを回転させた場合にバッテリー内の電気は約２０分でなくなった。
【０００８】  図２の配線方法（２）の実験ではモーター（３）にあるターミナル（７）とモーター（２）にあるターミナル（４）とリード線（２０）でつなぐ、モーター（３）にあるターミナル（６）とバッテリー（１）にある端子（１６）とリード線（１９）でつなぐ、モーター（２）にあるターミナル（５）とバッテリー（１）にある端子（１７）とリード線（２１）でつなぐ、このようにしてモーターを回転させた場合い３０分回転させてもバッテリー（１）の電気はなくなっていなかった。
【０００９】  図３  図２を応用した応用図  図２で使用してあるモーター（３）のシャフト（１８）にパイプ（２２）を取りつけ、発電機として使用してあるモーター（２３）のシャフト（２４）をパイプ（２２）につなぐ。このようにしてバッテリー（１）の電気を流して回転させ発電機として使用してあるモーター（２３）で発生した電気でモーター（２７）を回転させギャー（２８）を回転させている。これを動力として使用できる。尚、発電機として使用しているモータは、内部に取りつけられている磁石を取りはずして外側に取りつけてもよいものとする。又、モーター内部のコイルを巻いてある鉄心は、プラスチックやアルミ、木材でもよいものとする。又、リード線やターミナルのつなぎ方は、まきつけてもよく、はんだ付けでもよくその他の方法でもよいものとする。
【符号の説明】
【００１０】１  バッテリー
２  モーター
３  モーター
４  ターミナル
５  ターミナル
６  ターミナル
７  ターミナル
８  つなぎ目
９  つなぎ目
１０  リード線
１１  リード線
１２  リード線
１３  リード線
１４  リード線
１５  リード線
１６  端子
１７  端子
１８  シャフト
１９  リード線
２０  リード線
２１  リード線
２２  パイプ
２３  発電機として使用してあるモーター
２４  シャフト
２５  リード線
２６  リード線
２７  モーター
２８  ギヤー
【図１】
2015202043.tif 000003
【図２】
2015202043.tif 000004
【図３】
2015202043.tif 000005
(57)【要約】      （修正有）【課題】ハエ等の殺傷対象昆虫への衝突有効面積が大きく、衝突までの速度が速いため、殺傷対象昆虫に衝突させることが容易であり、また、衝突部分の質量が小さいため殺傷対象昆虫に与える衝撃力を殺傷対象昆虫を破裂させない程度にコントロールし易い昆虫殺傷具を提供する。【解決手段】紐状のゴムの端部を複数本に枝分かれさせ、或いは螺旋状とする、端部構造を特徴とする昆虫殺傷具１である。【選択図】図１
2015202104.tif 000002
【特許請求の範囲】
【請求項１】
紐状のゴムの端部を複数本に枝分かれさせ、或いは螺旋状にし、あるいはそれらを組合せた端部構造を特徴とするハエ等昆虫殺傷具。
【発明の詳細な説明】
【技術分野】
【０００１】この発明は、紐状ゴムを伸長させたうえ片方の端部を開放することにより生じる紐状ゴムの収縮力により、開放側ゴム端部をハエ等の殺傷対象昆虫に瞬時に衝突させ、その衝撃力により当該昆虫を殺傷する昆虫殺傷具の構造に関するものである。
【背景技術】
【０００２】従来、所謂ハエ叩きのように柄の先端に網面等を設置しその叩き面を振り下ろすことを原理とする昆虫殺傷具があった。また、柄のはしをＵ字型にし、そのＵ字型の根元の部分にゴムひもの端を止め金具を付けたハエ叩き（以下「パチンコ型ハエ叩き」という。）があった。
【先行技術文献】
【０００３】
【非特許文献１】登録実用新案第３０８６３４１号
【発明の概要】
【発明が解決しようとする課題】
【０００４】解決しようとする問題点は次のとおり。
（イ）所謂ハエ叩きは面で叩くため、物の置かれた机などの不陸面では凸部が障害となり殺傷対象昆虫を叩くことが難しく、また、叩くことができた場合でもハエ叩き面がそこに置かれた殺傷対象昆虫以外の物に衝突してしまい、当該物の散乱やハエ叩き面付着物による汚染などの問題があった。さらに、振り下ろす動作速度が遅いと殺傷対象昆虫から逃げられることがあった。
（ロ）パチンコ型ハエ叩きでは、ゴム紐端部を衝突させること自体が難しく、また、衝突させることができた場合でも衝撃力のコントロールが難しく、殺傷対象昆虫を破裂させることもあった。
（ハ）以上のものはいずれも携帯性が悪かった。【０００５】そこで、本発明は、上記従来のものの持つ欠点を改善するものであり、簡単な構造により、昆虫殺傷を行えるようにしたものである。
【課題を解決するための手段】
【０００６】そのために、紐状のゴムにおいて、その端部を、図１で示すように複数本に枝分かれさせ（１）、螺旋状にし（２）、あるいはそれらを組合せた構造とする。
【発明の効果】
【０００７】物の置かれた机など不陸面にある昆虫であっても、本発明の紐状ゴムの移動空間に障害物かなければ、当該殺傷対象昆虫に衝突させることができる。【０００８】殺傷対象昆虫への衝突有効面積が大きく、衝突までの速度が速いため、殺傷対象昆虫に衝突させることが容易であり、また、衝突部分の質量が小さいため殺傷対象昆虫に与える衝撃力を殺傷対象昆虫を破裂させない程度にコントロールし易い。【０００９】柔軟性があるため丸めて保管することができ、携帯性が非常に良い。
【発明を実施するための形態】
【００１０】本発明の実施の形態は図２で示すように、当該ゴム紐（３）の両端を左右の指でつまむなどして引き伸ばした上、殺傷対象昆虫（４）側へ支点とする端を保持し、当該殺傷対象昆虫と当該支点を直線で結んだ際の延長方向へ当該ゴム紐の殺傷対象昆虫に衝突させようとする成形した端部を保持（５）した後、当該ゴム紐の殺傷対象昆虫に衝突させようとする成形した端部を開放することにより、当該ゴム紐の収縮運動により、当該ゴム紐の成形した端部を殺傷対象昆虫に到達させ、その衝撃により当該殺傷対象昆虫を殺傷する。
【図面の簡単な説明】
【図１】この発明の昆虫殺傷具の正面図である。
【図２】昆虫殺傷具の実施例を示す斜視図である。
【符号の説明】１  昆虫殺傷具の形状１
２  昆虫殺傷具の形状２
３  この発明の紐状ゴム
４  ハエ等殺傷対象昆虫
５  成形した端部の保持部分
【図１】
2015202104.tif 000003
【図２】
2015202104.tif 000004
(57)【要約】      （修正有）【課題】労力的にも経済的にもかなり負担軽減された、トウモロコシの鳥獣害防止のカバーを提供する。【解決手段】本体カバー１の左右のカバーである雌カバー３と雄カバー２の表面に多数の通気孔と、多数の突起５を設け、中央に折り返し部６と、左右のカバーの両端に左右のカバーを閉じる固定部７を設けた。【選択図】図１
2015202103.tif 000002
【特許請求の範囲】
【請求項１】
本体カバー（１）の左右のカバーである雌カバー（３）と雄カバー（２）の表面に多数の通気孔（４）と、中央に折り返し部（６）と、左右のカバーの両端に左右のカバーを閉じる固定部（７）を設けた半透明のプラスチックのトウモロコシのカバー。
【請求項２】
本体カバー（１）に多数の突起（５）を設けた、請求項１のトウモロコシのカバー。
【発明の詳細な説明】
【技術分野】
【０００１】  本発明はトウモロコシの鳥獣害防止のカバーに関するものである。
【背景技術】
【０００２】  従来、トウモロコシの鳥獣害防止対策は、主に電気柵や金網やネットを設置する方法だった。
【発明の概要】
【発明が解決しようとする課題】
【０００３】  従来の電気柵や金網やネットは、設置するのに労力的にも経済的にも負担が大きく、且つ不完全だった。
本発明は、以上の問題点を解決するためになされたものである。
【課題を解決するための手段】
【０００４】  本体カバー（１）の左右のカバーである雌カバー（３）と雄カバー（２）の表面に多数の通気孔（４）と多数の突起（５）を設け、中央に折り返し部（６）と、左右のカバーの両端に左右のカバーを閉じる固定部（７）を設けた半透明のプラスチックのトウモロコシのカバーである。
【発明の効果】
【０００５】（イ）鳥獣害防止対策が労力的にも経済的にもかなり負担軽減される。
（ロ）本発明の取り付け取り外しが大変簡単である。
（ハ）本発明に鳥獣が近づいても、固そうなプラスチックのカバーと、多数の突起と、嘴      または歯と爪が入らない通気孔を見て、鳥獣はトウモロコシの茎を倒すことなく離      れる。
（ニ）本発明は雌穂の上半分が褐色になってから、雌穂全体が縮れた濃い褐色になる収穫      期までの数日間だけ装着するので、他のトウモロコシに使い回しができる。
【図面の簡単な説明】
【０００６】
【図１】本発明をトウモロコシに装着したときの斜視図
【図２】図１の左側面図
【図３】図１のＡ−Ａ’の断面図
【図４】図１のＢ−Ｂ’の断面図
【図５】本発明の本体カバー（１）を開けた状態図
【図６】図１の正面からの透視図
【発明を実施するための形態】
【０００７】以下、本発明の実施の形態について説明する。
本体カバー（１）は周辺が外側に突き出ている雄カバー（２）と、内側に突き出ている雌カバー（３）が中央の折り返し部（６）によって、一体になって繋がっていて、左右に開閉できる半透明のプラスチックのカバーである。雄カバー（２）と雌カバー（３）には鳥獣の嘴または歯と爪が入らない幅の多数の細長い通気孔（４）と、鳥獣を威嚇するための多数の小さな突起（５）と、雄カバー（２）と雌カバー（３）を閉じる固定部（７）を設ける。
本発明は以上のような構造である。
本発明を使用するときは、トウモロコシの雌穂の上半分が褐色になった頃、即ち収穫の数日前に、本体カバー（１）を左右に開き折り返し部（６）が上になるようにして、トウモロコシの実（８）の上に被せ、本体カバー（１）の茎貫通部（１１）にトウモロコシの茎（９）を通して、トウモロコシの実（８）とトウモロコシの葉（１０）を本体カバー（１）の中に入れながら、雄カバー（２）と雌カバー（３）を閉じると、固定部（７）で自動的に固定される。
【符号の説明】
【０００８】１本体カバー、２雄カバー、３雌カバー、４通気孔、５突起、６折り返し部、７固定部、８トウモロコシの実、９トウモロコシの茎、１０トウモロコシの葉、１１本体カバー（１）の茎貫通部
【図１】
2015202103.tif 000003
【図２】
2015202103.tif 000004
【図３】
2015202103.tif 000005
【図４】
2015202103.tif 000006
【図５】
2015202103.tif 000007
【図６】
2015202103.tif 000008
(57)【要約】      （修正有）【課題】片手が不自由な人や幼児などトイレットペーパーを綺麗に切り取るには両手を使ったり経験が必要で、貼り付いたり、ちぎれたり、露出が多く不衛生であり、清掃もしていないのに三角に折り込む人もいるので、誰でも簡単に引き出し切り取れるトイレットペーパーホルダーを提供する。【解決手段】トイレットペーパー６を引き出す開口部以外に隙間がない容器で、下向きに置いたトイレットペーパー６の前方下部にトイレットペーパー６を引き出しやすくする為の回転棒３が設置してあり、切り口がＶ字形でトイレットペーパー６を切り取るのに下方向に引き出し、上方向に持ち上げる動作でトイレットペーパー６を片手でＶ字形に切り取ることができる蓋２を有する。【選択図】図１
2015202392.tif 000002
【特許請求の範囲】
【請求項１】
トイレットペーパーを引き出す開口部以外に隙間がない容器で、下向きに置いたトイレットペーパーの前方下部にトイレットペーパーを引き出しやすくする為の回転棒が設置してあり、切り口がＶ字形でトイレットペーパーを切り取るのに下方向に引き出し、上方向に持ち上げる動作でトイレットペーパーを片手でＶ字形に切り取ることができる蓋を有したトイレットペーパーホルダー。
【発明の詳細な説明】
【技術分野】
【０００１】本発明はトイレットペーパーを片手で縦方向に切り取る為の道具である。
【背景技術】
【０００２】ミシン目のあるトイレットペーパーを斜め上方の横方向へと切り取っていた。
【特許文献１】
【０００３】
【発明の開示】
【発明が解決しようとする課題】
【０００４】片手が不自由な人や幼児などトイレットペーパーを綺麗に切り取るには両手を使ったり経験が必要で、貼り付いたり、ちぎれたり、露出が多く不衛生である。
【課題を解決するための手段】
【０００５】密閉度のある容器で、トイレットペーパーを引き出しやすくする回転棒によりちぎれたりせずに、Ｖ字形の切り取り口のある蓋で縦方向に切り取る為、貼り付いたりせず、一枚一枚を片手で簡単に引き出せるようにした。
【発明の効果】
【０００６】引き出し口以外、露出してない為に衛生的で、トイレットペーパーのセットから引き出し、切り取る動作のすべてが片手で行なえ経験を必要としなくなった。
【実施例１】
【０００７】芯のないトイレットペーパーも使え、におい袋などを容器に入れたりできる。
【図面の簡単な説明】
【０００８】
【図１】本発明の正面図である。
【図２】本発明の側面図である。
【符号の説明】
【０００９】１  容器本体
２  Ｖ字形の蓋
３  回転棒
４  蝶番
５  ロック部
６  トイレットペーパー
【図１】
2015202392.tif 000003
【図２】
2015202392.tif 000004
(57)【要約】【課題】  コーヒーを抽出後に保温した場合、煮詰まったような独特の嫌な香りと味がする。【解決手段】  保温効果の高い魔法瓶のような容器にコーヒー粉末を入れた抽出用バッグもしくはコーヒー粉末を入れ、その中に約１００℃の熱湯を注ぎそのまま放置し、コーヒー成分が十分抽出された後そのコーヒーを飲用する。抽出後もコーヒー粉末を入れた抽出用バッグもしくはコーヒー粉末を取り除くことなく保温し続ける。コーヒーの抽出から保温までを１工程で行なうことにより、保温による上記課題を解決する。【選択図】図２
2015202387.tif 000002
【特許請求の範囲】
【請求項１】
長時間保温しても容器の保温能力が有効である限り、風味の変わらないコーヒーの抽出と保温方法
【発明の詳細な説明】
【技術分野】
【０００１】  本発明は、容器の保温能力が有効である限り、長時間保温しても風味の変わらないコーヒーの抽出と保温方法に関する。
【背景技術】
【０００２】  従来のコーヒー抽出方法には、濾過（ドリップ）、煮沸後濾過（コーヒーサイフォン）煮沸（トルココーヒー）浸漬（コーヒーバッグ）などがあり、保温については、上記のような方法で抽出したものを魔法瓶や保温プレートで加熱保温している。
【先行技術文献】
【特許文献】
【非特許文献】
【発明の概要】
【発明が解決しようとする課題】
【０００３】  解決しようとしている問題点は、コーヒーを抽出後に保温した場合、抽出後も熱によって酸化し、香りの成分は揮発性のため時間が経つとどんどん揮発していく。
コーヒーメーカーや保温プレートで加温している場合、長時間高温状態に置かれたコーヒーは煮詰まったような独特の嫌な味がする。抽出したコーヒーを熱い状態のまま保温ポットや魔法瓶で外に持ち出す場合でも、魔法瓶内で同様の現象が起き、独特のいやな香りと味になる。
【課題を解決するための手段】
【０００４】  本発明は、保温効果の高い魔法瓶のような容器に、コーヒー粉末を入れた抽出用バッグもしくはコーヒー粉末を入れ、その中に約１００℃の熱湯を注ぎそのまま放置する。コーヒー成分が十分抽出された後（約１時間後）よりそのコーヒーを飲用する。
抽出後もコーヒーバッグ（あるいはコーヒー粉末）を取り除くことなく保温し続けると、最後まで風味の変わらないコーヒーを飲むことが出来る。コーヒーの抽出から保温までを１工程で行なうことにより、より簡便なコーヒー抽出と保温による上記課題を解決する。
【発明の効果】
【０００５】  本発明は、コーヒーの抽出を簡単にし、容器の保温能力が有効である限り、その味や風味を損なうことなく、保温ポットの性能により長時間（約８時間から１２時間）保温もしくは持ち歩くことを可能にする。
また、本方法で抽出したコーヒーを官能試験として、被験者２０人に１時間から８時間経過後の該当コーヒーを飲用してもらったところ、いやな香りや味を感じた者は一人もいなかった。
【図面の簡単な説明】
【０００６】
【図１】保温容器とコーヒー粉末を入れたバッグ（もしくはコーヒー粉末）の外観図である。
【図２】約１００℃の熱湯を注ぐときの外観図である。
【図３】蓋をしてコーヒーが抽出されるのを待つ時の外観図である。
【発明を実施するための形態】
【０００７】  本発明の形態は、保温容器内にコーヒー粉末を入れた状態で保温され続ける。
【実施例】
【０００８】  保温水筒もしくは魔法瓶を使用し、５００ｃｃにつき約１３グラムのコーヒー粉末をお茶パックのような包装容器に入れ、約１００℃の熱湯を保温容器の口元まで入れる。その後、約１時間後から温容器の性能により約８時間前後までコーヒーの風味を持続し、いやな味や香りがすることなくコーヒーを保存もしくは持ち歩くことが出来る。
朝、出勤前に保温水筒に熱湯を注ぎ作ったコーヒーを、昼食時間に美味しく飲むことが出来る。
就寝前に魔法瓶もしくは保温水筒に上記方法で作成したコーヒーは、寝起きにコーヒーを飲用することができる。
職場や集会など人数の多い場所で大量にコーヒーを作り置きすることが出来る。
【産業上の利用可能性】
【０００９】  ティーバッグ・お茶バッグ・テトラバッグ状の形態で、且つコーヒー粉末の出ないバッグを作成し、レギュラーコーヒー粉末をその中に充てんする。それを真空パックなどの風味の逃げない形状で販売する。出かける前にポットに入れるだけで、ドライブや会社に持って行きコーヒーが楽しめる。高齢者にも簡単にドリップコーヒーと同等の風味を持つコーヒーを作ることができ、生活の中で気軽にコーヒーを楽しむことができるようになる。
また、光熱費はお湯を沸かす時に１度だけ使用するだけなので、環境問題に貢献するいわゆるエコである。
【符号の説明】
【００１０】  Ａ    保温容器
Ｂ    コーヒーバッグ
Ｃ    コーヒー粉末
Ｄ    約１００℃の熱湯を入れたやかん
Ｅ    保温容器に蓋をした状態
【図１】
2015202387.tif 000003
【図２】
2015202387.tif 000004
【図３】
2015202387.tif 000005
(57)【要約】      （修正有）【課題】運動をしやすいウエアラブルデバイスを提供する。【解決手段】ウエアラブルデバイスは、メガネの側方フレーム３に接続される赤外線式の心拍センサ４を備えている。振動計測素子４’は、ユーザの振動数（走行時の揺れ）を検出している。心拍センサ４と振動計測素子４’からの信号は、制御装置に入力される。心拍数と、心拍数及びユーザの振動数から演算される消費カロリーなどの情報が、本人のキャラクターと共にディスプレイ１上に表示される。ユーザの振動数に応じて、キャラクターが動作する。【選択図】図１
2015202386.tif 000002
【特許請求の範囲】
【請求項１】
メガネの側方フレームに接続される赤外線式の心拍センサと、
ユーザの振動数を検出する振動計測素子と、
計測された心拍数及びユーザの振動数から演算される消費カロリーを表示し、メガネのレンズ位置に固定されたディスプレイと、
を備えることを特徴とするウエアラブルデバイス。
【請求項２】
前記振動計測素子から、ユーザの振動数が入力され、前記ディスプレイ上に表示したキャラクターを動作させる制御装置を更に備えることを特徴とする請求項１に記載のウエアラブルデバイス。
【発明の詳細な説明】
【技術分野】
【０００１】  この発明は、ウエアラブルデバイスに関する。
【背景技術】
【０００２】  従来のメガネ式のウエアラブルデバイスは、例えば、特許文献１に記載されており、鼻の位置に心拍センサを設けている。
【先行技術文献】
【特許文献】
【０００３】
【特許文献１】米国特許７６７７７２３号明細書
【発明の概要】
【発明が解決しようとする課題】
【０００４】  しかしながら、より運動しやすいウエアラブルデバイスが要望されている。本発明は、運動しやすいメガネ型のウエアラブルデバイスを提供することを目的とする。
【課題を解決するための手段】
【０００５】  以上の課題を解決するために、このウエアラブルデバイスは、メガネの側方フレームに接続される赤外線式の心拍センサと、ユーザの振動数を検出する振動計測素子と、計測された心拍数及びユーザの振動数から演算される消費カロリーを表示し、メガネのレンズ位置に固定されたディスプレイと、を備えることを特徴とする。
また、前記振動計測素子から、ユーザの振動数が入力され、前記ディスプレイ上に表示したキャラクターを動作させる制御装置を更に備えることを特徴とする。
【発明の効果】
【０００６】  この発明によれば、運動しやすい位置に心拍センサがあり、ユーザが楽しさを感じることができるため、運動しやすく、運動が楽しくなる。
【図面の簡単な説明】
【０００７】
【図１】  ウエアラブルデバイスの斜視図である。
【図２】  ウエアラブルでバイスの斜視図である。
【図３】  心拍センサの構造を示す図である。
【図４】  ディスプレイと制御装置を示す図である。
【発明を実施するための形態】
【０００８】  以下、実施形態のかかるメガネ型のウエアラブルデバイスについて説明する。同一要素には同一符号を用いることとし、重複する説明は省略する。
【０００９】  図１は、ウエアラブルデバイスの斜視図である。メガネは、前方フレーム２とこれに結合した側方フレーム３とを備えている。このウエアラブルデバイスは、メガネの側方フレーム３に接続される赤外線式の心拍センサ４と、ユーザの振動数を検出する振動計測素子４’と、計測された心拍数及びユーザの振動数から演算される消費カロリーを表示し、メガネのレンズ位置に固定されたディスプレイ１とを備えている。ディスプレイ１、心拍センサ４及び振動計測素子４’への電力供給と、信号の送受信は、側方フレーム３に接続された接続ケーブル５によって行われる。接続ケーブル５及び心拍センサ４は側方フレーム３に対して着脱可能である。メガネのレンズ位置、すなわち、前方フレームには、ディスプレイ１が固定されている。ディスプレイ１の数は１つであり、軽量化がされている。
【００１０】  心拍センサ４は、イヤホン型のものであり、センサ本体を内蔵した筐体から配線が延びて、これが側方フレーム３に接続され、接続ケーブル５を介して制御装置に接続される。振動計測素子４’は、側方フレーム３に設けられており、ジャイロセンサや加速度センサである。これらのセンサは、接続ケーブル５を介して制御装置に接続される。振動計測素子４’は、側方フレーム３内に内蔵することとしてもよく、また、この位置に心拍センサを配置して、こめかみの位置から心拍数を計測することも可能である。
【００１１】  図２は、ウエアラブルデバイスの斜視図である。これは図１の変形例であり、側方フレーム３の２つの終端部分をバンド６が接続する構造である。これにより運動時にデバイスがしっかりと固定される。
【００１２】  図３は、心拍センサ４のセンサ本体の構造を示す図である。センサ本体は、発光素子と受光素子を筐体４ｂに内蔵しており、耳の穴にはまる支持部４ａが筐体４ｂに固定されている。筐体４ｂ内には、スピーカを内蔵してもよく、これに接続ケーブルを介して音楽や音声の信号を送信することができる。この場合には、支持部４ａの形状は、スピーカからの音が伝達されるように中空とすることができる。
【００１３】  図４は、ディスプレイと制御装置を示す図である。制御装置１０には、振動計測素子４’から、ユーザの振動数（走行時の揺れ）が入力され、ディスプレイ１上に表示したキャラクター１ａを動作させる。入力される振動数が高いほど、キャラクターを動作させる速度を上昇させる。これは、制御装置１０において、キャラクターの動作制御信号の入力に、振動パルスを入力することで実現することができる。キャラクターは、本人のアバターとすることができる。
【００１４】  上述のウエアラブルデバイスは、メガネの側方フレーム３に接続される赤外線式の心拍センサ４を備えている。振動計測素子４’は、ユーザの振動数（走行時の揺れ）を検出している。心拍センサ４と振動計測素子４’からの信号は、制御装置１０に入力される。制御装置１０から信号により、心拍数ｆ１と、心拍数ｆ１及びユーザの振動数ｆ２から演算される消費カロリー（＝ｆ１とｆ２に比例する）などの情報１ｂが、本人のキャラクター１ａと共にディスプレイ１上に表示される。ユーザの振動数ｆに応じて、キャラクター１ａは動作する。ユーザの振動数ｆ２から、走行距離がわかるため、これから消費カロリーを計算してもよい。本発明では、運動しやすい位置に心拍センサがあり、ユーザが楽しさを感じることができるため、運動しやすく、運動が楽しくなる。
【符号の説明】
【００１５】１…ディスプレイ、２…前方フレーム、３…側方フレーム、４…心拍センサ、５…接続ケーブル。
【図１】
2015202386.tif 000003
【図２】
2015202386.tif 000004
【図３】
2015202386.tif 000005
【図４】
2015202386.tif 000006
(57)【要約】      （修正有）【課題】カス取り装置の打抜機への装着を容易にし、カス取りピンの配列の自由度を高め、作業中にピン先端に溜まった抜きカスの除去も当該装置内で行え、複数取り付けられたピンによる瞬時の加工負荷を低減し、上下ピンで挟む際の滑り現象を防止し、打抜機から本装置を取り外すことなくカス取り動作を停止可能とする。【解決手段】装置の取り付けはロックレバー１の操作で行うこととし、ピンの配列には自由度の高い調整機能を設け、装置及びピン先へ溜まったカスの除去動作機能３を装備し、ピン先端を高摩擦抵抗化５し除去機能を高めた。また、本装置を取り付けたままカス取り機能を除外可能とする機構を設けた。【選択図】図−１
2015202560.tif 000002
【特許請求の範囲】
【請求項１】
カス取り用装置固定する方法
【請求項２】
多本数カス取り用ピンの配列と調整方法
【請求項３】
抜きカスの排除方法
【請求項４】
カス取りピン先の抜きカス除去方法
【請求項５】
作用点高さの調整を可能とするカス取りピン装着方法
【請求項６】
ピン先端に高硬度粒子を被覆した高摩擦抵抗ピン
【請求項７】
カス取りピンの機能停止方法
【発明の詳細な説明】
【発明の詳細な説明】
【産業上の利用分野】
【０００１】  本発明は例えば、段ボール、板紙又は樹脂フィルムの打ち抜き加工工程で、抜き穴のカスを取り除く為に使用するカス取り装置に関するものである。
【背景技術】
【０００２】  請求事項１、従来のカス取り装置の打抜機への装着方法はボルト、ナットを使用して固定するのが一般的である。【０００３】  請求事項２、カス取り用のピンの配列は本体装置に直列に並べて配置し配列角度の変更は装置本体全体を動かして変更するのが一般的である。【０００４】  請求事項３、装置本体には、抜きカスが溜まりやすく、溜まった抜きカスの取り除き排除は当該装置動作の範囲外の方法で行うのが一般的である。【０００５】    請求事項４、ピン先に堆積した抜きカスは請求事項４同様当該装置動作の範囲外の方法で行うのが一般的である。【０００６】  請求事項５、複数取り付けられたピン先端位置は平面状であり、上下動作も平面的で有る事から、作用点も同一面状態作動する事となり、多数のカス取りピンを必要とする物件の場合は、過大な瞬時負荷が派生するのが一般的である。【０００７】  請求事項６、（カス取りは上下するピンによって挟み抜きとる。）上下ピンで挟む摩擦抵抗が抜きとり抵抗より少ない場合は滑り現象により除去不良と成るのが一般的である。【０００８】  請求事項７、カス取り動作時に上ピン、又は下ピンを、其の機能外に置きたい時は、上ピン又は下ピンを取り外す事で得るのが一般的である。
上記から従来装置は、作業性、機能、性能、現象に種々の問題を抱えている。
【発明が解決しようとする課題】
【０００９】  上記説明でも明らかなように、上記公知の装置が抱えている、作業性、機能、性能、現象の問題を解決する事にある。
【００１０】  本発明は、上記の問題点を解決する事を目的としたもので、
（請求事項１）装置の取り付けはロックレバー操作で、作動は軌道精度の高い動きとする。
（請求事項２）配列は自由度の高い調整機能を設ける。
（請求事項３、４）装置及びピン先へ溜まったカスの除去動作機能を装備する。
（請求事項５）作動時間軸をずらし過大動作負荷の低減を図る。
（請求事項６）ピン先端を高摩擦抵抗化し除去機能を高める。
（請求事項７）カス取り機能除外機能を備える
事を可能とした装置を供給する事に有る。
【課題を解決するための手段】
【００１１】  上記課題を解決するために、
本発明は、
（請求事項１）弾性（応）力（バネ等の応力）を利用し、締付力調整機能を備えた、レバー操作で弾性力を変化させ、その作動は高精度な直線軌跡動作とし、締付時に発生するズレ要因の一部を取り除く事で得ることを特徴とする。
【００１２】  （請求事項２）カス取りピンの必要部位への配列は、一装置の単位で、自由度の高い取り付と、取り付けたピン群に回転動作機能を合わせ持たせ、位置精度の調整機能をより高め、且つ、目的位置への取り付け作業の一部を本機（打抜き装置）外で可能として得る事を特徴とする。
【００１３】  （請求事項３、４）本装置上に落下して溜まった、また、ピン先端に堆積したカスの取り除き除去する為に、ピン又は板を取り付けて、上下動作によりカスの荷崩れ状態を起こさせ、除去機能を促進した事を特徴とする。
【００１４】    （請求事項５）カス取りに必要な過大負荷の低減は、上ピン又は下ピンの先端の挟み込み上下接点位置を変化させ、上下ピンの挟み込み押し下げ動作位置時間に時間差と、押し下げ量を変化させる事により得ることを特徴とする。
【００１５】    （請求事項６）カス取りピンの先端に摩擦抵抗の高い物質（例えば高硬度粒子）を被覆することにより挟み込み摩擦抵抗力を高め、カス取り時の滑り現象減らし、抜き取り性能を高める事を特徴とする。
【００１６】    （請求事項７）カス取り動作時に上ピン、又は下ピンをその機能動作範囲外に設定出来る事を特徴とする。
【発明の効果】
【００１７】  （請求事項１）レバー動作による作業は一動作で目的締付け力得る事が出来、作業が容易となり時間の短縮が図れる。また締付作用動作軸精度高め、ズレ発生量を極小ならしめた事から、取り付け品質の高精度化作業が容易となる。
【００１８】  （請求事項２）一装置本体に複数のカス取り用下ピンが自由度高く装着可能な事から変形した形状の穴に対してもその対応能力範囲が広くなる。
また取り付けるピンが一装置に多数取り付が可能な事から、取り付け作業の省力化と併せ、複雑な形状に精度よく対応できる事から、カス取り性能、能力が向上する。（作業品質向上）
【００１９】  （請求事項３、４）装置本体又はピン先端に溜まったカスの除去能力が高まった事から、除去のための別作業の必要性が低下し、別作業用の省略化と設備の削減が出来る。
【００２０】  （請求事項５）過大負荷の低減により、加工可能物件範囲の拡大が見込め業績拡大へと繋げられる。
【００２１】  （請求事項６）ピン先端の高摩擦化により、カス取り不良の発生率の低下が図れ、品質度を高める事が出来る。
【００２２】  （請求事項７）上ピン又は下ピンを打抜機に取り付たままの状態で其のカス取り機能の除外が可能な事から作業性が増す。
【実施例】
【００２３】  本発明装置図を参照しながら説明する。【００２４】［図−１］は、打抜き用カス取り装置を示している。
【図面の簡単な説明】
【００２５】
【図−１】は打抜機にカス取り装置を取り付けた状態を示している。
【符号の説明】
【００２６】▲１▼ロックレバー  ▲２▼回転軸（自由位置設定）  ▲３▼カス除去ピン（落下促進状態）
▲４▼（付加低減）時間差・押し下げ量変            ▲５▼高硬度粒子皮膜
▲６▼ピン先端位置変更状態（機能除去）
【図−１】
2015202560.tif 000003
(57)【要約】【課題】キャッチコピーや価格等を書いてあるＰＯＰタグはたくさんあるが、商品に取り付けても動いたり、めくれたりして文字がみえなくなることがよくある。この状態を解決することを課題とする。【解決手段】キャッチコピーや価格等のＰＯＰタグの一部分に糊をつけて商品に密着させることで動いたりめくれたりすることを防ぐことができる。【選択図】図１
2015082109.tif 000002
【特許請求の範囲】
【請求項１】
動いたりはずれたりしないようにシートの一部分に糊をつけて、商品に貼付けて動かないように作ったＰＯＰ用のタグ。
【発明の詳細な説明】
【技術分野】
【０００１】本発明は、ＰＯＰ用タグに糊をつけて動かないようにするものである。
【背景技術】
【０００２】従来のＰＯＰ用タグは商品につけた後、動いて位置がずれてしまったり、タグが回転や反転しみえなくなったりする問題点があった。
【先行技術文献】
【特許文献】
【０００３】
【特許文献１】不明
【非特許文献】
【０００４】
【非特許文献１】なし
【発明の概要】
【発明が解決しようとする課題】
【０００５】本発明は、上述したような問題点を解決するためのものであり、タグが動くのを防ぐことを目的としている。
【課題を解決するための手段】
【０００６】本発明は、タグが動くのを防ぐため、一部分に糊をつけ、動かないにようにすることを主要な特徴とする。
【発明の効果】
【０００７】本発明は、タグが動かないという効果がある。
【図面の簡単な説明】
【０００８】
【図１】この発明の実施形態を示したＰＯＰタグの形の例の図である。
【発明を実施するための形態】
【０００９】この発明の実地形態のＰＯＰタグの形の例を図１に示す。
【実施形態の効果】
この実地形態によれば商品にＰＯＰタグを装着したあと一部分を糊付けするので動くのを防ぐことができる。
【符号の説明】
【図１】
2015082109.tif 000003
【図２】
2015082109.tif 000004
【図３】
2015082109.tif 000005
【手続補正書】
【提出日】平成25年12月13日(2013.12.13)
【手続補正１】
【補正対象書類名】明細書
【補正対象項目名】０００８
【補正方法】変更
【補正の内容】
【０００８】
【図１】  この発明の実施形態を示したＰＯＰタグの形の例の図である。
【図２】  この発明の実施形態を示した例のＰＯＰタグをボトルにはりつけた正面図である。
【図３】  この発明の実施形態を示した例のＰＯＰタグをボトルにはりつけた側面図である。